(57)【要約】【課題】転倒、倒壊の防止措置として、ワイヤーロープ、レバーブロック、シャックル、クリップ等が必要になり、リース経費、運搬費などのコストがかかる。【解決手段】対向する鉄骨柱のジョイント部分Ｂ、Ｂに相対して支持される一対の取付基部１，１と、該取付基部１，１に突設された支持受部(座板)２，２と、該支持受部２，２間に取り付けられるジャッキ等の変位可動部３と、該変位可動部３の側面に取り付けられた落下防止部材とを備える。前記取付基部１，１は、上面に支持受部２を補強する支持部１ａ，１ａと、該支持部１ａ，１ａ間に螺合された取付部１ｂとを備えており、下面に取付底板１ｃを介して袋ナットによる螺合部１ｄ、１ｄが突設される。落下防止部材は、変位可動部３，３間を架設すべく同変位可動部３，３の側面に摺動自在に螺合せしめる。【選択図】  図２
2005180101.tif 000002
【特許請求の範囲】
【請求項１】
対向する柱のジョイント部分に相対して支持される一対の取付基部と、該取付基部のそれぞれに突設された支持受部と、該支持受部間に取り付けられるジャッキ等の変位可動部とを備えて柱の建て入れ調整を行うレベル調整治具において、前記支持受部は、対向する前記ジョイント部分の遊端縁に対して平行に配置されると共に、その両支持受部間に落下防止部材を介して互いを連結してなることを特徴とするレベル調整治具。
【発明の詳細な説明】
【技術分野】
【０００１】
本発明は、主として鉄骨柱の建て入れ調整を行うのに使用されるレベル調整治具に関し、更に詳しくは、コストの削減を図ると共に、建柱しようとする鉄骨の鉛直度及び高さの調整が容易で、かつ、安全性の高い建方工法が行えるレベル調整治具に関する。
【背景技術】
【０００２】
従来、鉄骨構造の建物を構築する場合、予め工場にて数層分を一節として加工した鉄骨柱を、構築現場にてタワークレーン等の建方機械により吊り上げて既設の鉄骨柱の遊端部に仮締めすると共に、数本の鉄骨柱を建て、上部を梁で仮に接続した後、ブロック毎にその起立姿勢をワイヤーロープ等を用いて調整して所謂「建ち」を入れ直し、所要の建方精度を得た後、鉄骨柱の本締めを行い又は溶接等により堅固に接続している。
【０００３】
また、鉄骨柱の建て入れ調整を行うレベル調整治具として、対向する鉄骨柱のジョイント部分に相対して支持される一対の取付基部と、該取付基部のそれぞれに突設された支持受部と、該支持受部間に取り付けられるジャッキ等の変位可動部とを備えたものがある(特許文献１参照)。
【特許文献１】特開平８−１８９２０１号公報
【発明の開示】
【発明が解決しようとする課題】
【０００４】
しかしながら、上述した従来の建方技術では、その組立の構造上、転倒、倒壊の防止措置として、ワイヤーロープ、レバーブロック、シャックル、クリップ等が必要になるため、リース経費、購買費、運搬費などのコストがかかり、また、その鉄骨の建て入れ直し（歪み直し）作業では、接続位置に誘導作業員が必要になるため、人件費も嵩むものであり、更には、建て入れ調整作業員に手、笛、旗等で合図したり、トランシーバー等の無線機を用いて誘導しなければならないため、微妙な調整誘導が困難で相当の熟練を要するばかりでなく、誘導に手間がかかってしまうといった問題を有する。
【０００５】
また、従来のレベル調整具にあっては、ジョイント部分への取り付けの際、取付基部や変位可動部が意に反して落下してしまうといった問題があり、安全で、かつ、取り付けの簡単なレベル調整具が要望されている。
【０００６】
本発明はこのような従来の問題点及び要望に鑑みてなされたもので、コストの削減を図ると共に、建柱しようとする鉄骨柱の鉛直度及び高さの調整が容易で、かつ、安全性の高い建方工法ができるレベル調整治具の提供を目的としたものである。
【課題を解決するための手段】
【０００７】
上述の如き従来の問題点を解決し、所期の目的を達成するため本発明の要旨とする構成は、対向する柱のジョイント部分に相対して支持される一対の取付基部と、該取付基部のそれぞれに突設された支持受部と、該支持受部間に取り付けられるジャッキ等の変位可動部とを備えて柱の建て入れ調整を行うレベル調整治具において、前記支持受部は、対向する前記ジョイント部分の遊端縁に対して平行に配置されると共に、その両支持受部間に落下防止部材を介して互いに連結してなるレベル調整治具に存する。
【発明の効果】
【０００８】
本発明は上述のように構成され、転倒、倒壊の防止措置として従来使用されていたワイヤーロープ、レバーブロック、シャックル、クリップ等が不要になるため、その分のリース経費、購買費、運搬費などのコスト削減が図れると共に、取り付けが頗る簡単であるため、熟練を要することなく誰にでも簡単に建て入れ調整を行うことができるといった効果を奏するものであり、全体として建て入れ作業の効率化を図り、作業時間を短縮化することができる。
【０００９】
また、前記支持受部が、対向する前記ジョイント部分の遊端縁に対して平行に配置されると共に、その両支持受部間に落下防止部材を介して互いを連結してなることによって、前記落下防止部材が支持受部に対し直交すべく同支持受部間を区画するため、ジャッキ等の変位可動部の位置決めと設置がより簡単になり、取付作業の際の安易な抜け落ちをも防止できるといった効果を奏するものである。
【００１０】
このように本発明のレベル調整治具は、建て入れ作業の効率化が図られる他、安易な抜け落ちをも防止でき、また、構成が単純であるため大量生産に適し、価格も低廉なものとして需要者に提供できるなど、本発明を実施することはその実益的価値が甚だ大である。
【発明を実施するための最良の形態】
【００１１】
対向する柱のジョイント部分に相対して支持される一対の取付基部と、該取付基部のそれぞれに突設された支持受部と、該支持受部間に取り付けられるジャッキ等の変位可動部とを備えて、前記支持受部は、対向する前記ジョイント部分の遊端縁に対して平行に配置されると共に、その両支持受部間の側面に落下防止部材を介して互いを連結するのが良い。
【実施例１】
【００１２】
次に、本発明に係るレベル調整治具の実施の一例を図面を参照しながら説明する。図中Ａは、本発明に係るレベル調整治具であり、このレベル調整治具Ａは、
対向する鉄骨柱のジョイント部分Ｂ、Ｂに相対して支持される一対の取付基部１，１と、該取付基部１，１に突設された支持受部(座板)２，２と、該支持受部２，２間に取り付けられるジャッキ等の変位可動部３(図６参照)と、該変位可動部３の側面に取り付けられた落下防止部材４とを備えている。
【００１３】
前記取付基部１，１は、図１乃至図２に示すように、上面に支持受部２を補強する支持部１ａ，１ａと、該支持部１ａ，１ａ間に螺合された取付部１ｂとを備えており、下面に取付底板１ｃを介して袋ナットによる螺合部１ｄ、１ｄが突設されている。
【００１４】
取付部１ｂは、図３に示すように、取付基部１の底面側に突出してジョイント部分(ウエブ部分)Ｂ、Ｂの取付孔１Ｂ、１Ｂ…（図６参照）に嵌入される取付突起１ｂ１  と、該取付突起１ｂ１  の上位に連設されて同取付突起１ｂ１  を出没自在に可動する調整ナット１ｂ２  とを備えている。
【００１５】
取付基板１ｃは、一対の取付基部１，１を一組として保持するものであり、使用する際は、取付基部１，１を分離すべく同取付基板１ｃから取り外してジョイント部分Ｂ、Ｂに取り付けされるものである。
【００１６】
螺合部１ｄ、１ｄは、外周面に繋止溝１ｄ１  が周設された袋ナットからなり、互いの連結溝１ｄ１  を繋ぎ合わせたり、取付基部１の固定部に繋止することで高所からの安易な落下を防止することができる。
【００１７】
一方、前記支持受部２，２は、互いに対向する面にジャッキ等の変位可動部３を支持するための支持凹部２ａ，２ａが形成されている。
【００１８】
前記変位可動部３は、図６に示すように、マイクロアジャスター(商品名)等のジャッキからなり、操作部３ａを手動具で回動させることにより、可動ピストン（図示せず）が摺動し、支持受部２，２を強制的に離間させることができる。
【００１９】
落下防止部材４は、変位可動部３，３間を架設すべく同変位可動部３，３の側面に連結ネジ４ａ，４ａを介して摺動自在に螺合されている。換言すれば、この落下防止部材４は、一方のネジ孔４ｂが横長に形成されており、同取付基部１が長手方向へ摺動し両変位可動部３，３の離間距離を微調整することができる。
【００２０】
また、斯かるレベル調整治具をジョイント部分Ｂ、Ｂに取り付ける際に、一方の取付基部１が、意に反して取り外れたとしても、前記連結ネジ４ａを介して他方の取付基部１に連結されているため、高所からの落下を防止することができる。
【００２１】
次に、本発明のレベル調整治具Ａを用いた建方工法について簡単に説明する。柱建方については、まず、図７に示す柱ジョイントのａ面に、２１．５ｍｍ若しくは２３．５ｍｍのセンターピン(図示せず)を入れる(図７(ａ)参照)。これは本ボルトにかかる応力を無くすためであり、また、建築物の水平レベルの維持を目的としている。
【００２２】
次いで、ジョイント部分Ｂ、Ｂの下部（フランジ部分）にボルトを入れる。また、クレーン等の揚重機で鉄骨柱を吊り上げ、ジョイント部分に導き静かに降ろし、少し負荷のかかっている状態にて全てのボルトを入れる。
【００２３】
次いで、斯かる状態でレベル調整治具Ａを取り付ける。その際、ジャッキ回転部を回動し鉄骨柱の圧力を少し受けている状態でボルトを締結する。これは、鉄骨柱の自立を促すだけのものであるので、あまり強く締結しない。
【００２４】
次いで、ジャッキ作業にて建て入れ調整を行う。具体的には、変位可動部３の回転部３ａを手動（回動工具）で回動することにより、可動ピストンが伸長し鉄骨柱を持ち上げて柱の建て入れを調整する。その際、図９に示すように、Ａ通Ｂ通の測量を行いながら両方向の建て入れを合わせた後（柱建て入れの再確認）、フランジ部分の仮のボルト締め付け（一次締め付け）を行う。
【００２５】
次いで、マーキング、本締め作業を行ない、センターピンを入れ替える。具体的には、フランジ部分のボルト締め付け終了後、センターピンを抜いて本ボルトと入れ替え、マイクロアジャスター等のレベル調整治具Ａを取り外しウエブ面のボルト入れ、本締め作業を行う。鉄骨柱についてはこの作業を順次繰り返し、柱建方を行う。そして、柱の締め付けの完了している所より、順次、梁の取り付けを行い、鉄骨を組み立てる。
【００２６】
尚、本発明のレベル調整治具Ａは、本実施例に限定されることなく、本発明の目的の範囲内で自由に設計変更し得るものであり、本発明はそれらの全てを包摂するものである。
【図面の簡単な説明】
【００２７】
【図１】本発明に係るレベル調整治具を示す平面図である。
【図２】同レベル調整治具の正面側を示す斜視図である。
【図３】同レベル調整治具の縦断面図である。
【図４】同レベル調整治具の背面側を示す斜視図である。
【図５】同レベル調整治具の底面側を示す斜視図である。
【図６】同レベル調整治具の使用状態を示す説明図である。
【図７】同レベル調整治具の取付位置を示す柱継手の横断面図である。
【図８】図８(ａ)は図６に示す矢印ａ面のセンターピン位置を示す説明図、図８(ｂ)は図６に示す矢印ｂ面のレベル調整治具の取付位置を示す説明図である。
【図９】図９(ａ)は測量器械による測量位置線を示す説明図、図９(ｂ)はＡ通及びＢ通の測量点位置を示す説明図である。
【符号の説明】
【００２８】
Ａ  レベル調整治具
Ｂ  ジョイント部分
１Ｂ  取付孔(ジョイント下部)
２Ｂ  取付孔(ジョイント上部)
１  取付基部
１ａ  支持部
１ｂ  取付部
１ｂ１  取付突起
１ｂ２  調整ナット
１ｃ  取付底板
１ｄ  螺合部
１ｄ１  繋止溝
２  支持受部
２ａ  支持凹部
３  変位可動部
３ａ  操作部
４  落下防止部材
４ａ  連結ネジ
４ｂ  ネジ孔
【図１】
2005180101.tif 000003
【図２】
2005180101.tif 000004
【図３】
2005180101.tif 000005
【図４】
2005180101.tif 000006
【図５】
2005180101.tif 000007
【図６】
2005180101.tif 000008
【図７】
2005180101.tif 000009
【図８】
2005180101.tif 000010
【図９】
2005180101.tif 000011